(57)【要約】【課題】開口部から管体内への異物の浸入を十分に防ぐことができ、かつ、ピンの摺動自在な領域が十分に確保されたピンコネクタを提供する。【解決手段】一端が開口部６とされ、他端が壁部７により閉じられた管体３と、この管体３に、先端を前記開口部６から外方へ突出させた状態で、かつ、該開口部６から外方へ抜け出すことを防止された状態で、該管体３の軸線方向に摺動自在に配置された柱状のピン１２と、前記管体３内に配置され、前記ピン１２を前記開口部６側へ付勢する付勢部材とを備え、前記ピン１２の先端部を所定の接触部材と接触させて電気的導通を取る接触端部１０としたピンコネクタ１Ａにおいて、前記ピン１２の前記開口部６から外方へ突出する部分に傘状の張り出し部１３が設けられていることを特徴とする。【選択図】図１
2010097772.tif 000002
【特許請求の範囲】
【請求項１】
一端が開口部とされ、他端が壁部により閉じられた管体と、
この管体に、先端を前記開口部から外方へ突出させた状態で、かつ、該開口部から外方へ抜け出すことを防止された状態で、該管体の軸線方向に摺動自在に配置された柱状のピンと、
前記管体内に配置され、前記ピンを前記開口部側へ付勢する付勢部材とを備え、
前記ピンの先端部を所定の接触部材と接触させて電気的導通を取る接触端部としたピンコネクタにおいて、
前記ピンの前記開口部から外方へ突出する部分に傘状の張り出し部が設けられていることを特徴とするピンコネクタ。
【請求項２】
前記張り出し部の先端縁の径が、前記管体の外径よりも大きいことを特徴とする請求項１に記載のピンコネクタ。
【請求項３】
前記張り出し部は、前記ピンの先端側から径が広がるに従い、前記ピンの軸線方向管体側に向かって傾斜するように形成されていることを特徴とする請求項１又は請求項２に記載のピンコネクタ。
【請求項４】
前記管体は、前記開口部近傍において、前記ピンの軸線方向先端側に向かってその外径を細めていることを特徴とする請求項１ないし請求項３のいずれか１項に記載のピンコネクタ。
【請求項５】
前記付勢部材は、前記ピンの後端面に接触して該ピンを前記開口部側へ付勢するよう配置され、
前記付勢部材と接触する前記ピンの後端面が傾斜した面とされていることを特徴とする請求項１ないし請求項４のいずれか１項に記載のピンコネクタ。
【発明の詳細な説明】
【技術分野】
【０００１】
この発明は、電子機器等に設けられた接触部材にピンを接続させて電気的導通を取り、各種信号を入出力するピンコネクタに関する。
【背景技術】
【０００２】
一般に、各種の電子機器の信号経路等と電気的導通を取る部材として、ピンコネクタを用いることが広く行われている。
従来、この種のピンコネクタとして、以下に説明するピンコネクタが知られている。
【０００３】
図２は、上記従来のピンコネクタの一例を示す断面図である。
図２に示すように、ピンコネクタ１は、中空部２を有する管体３と、管体３に挿入された円柱状のピン４と、管体３の中空部２内に配置されたスプリング５とから概略構成されている。
【０００４】
管体３は、導電性の金属等からなり、一端が開口した開口部６となっており、他端が壁部７により閉じた構成となっている。また、管体３の内壁はめっき処理されており、ピン４と接触した際に良好に電気的導通が取れるように構成されている。
開口部６は、後述するようにピン４を抜け止め状態で保持するため、カシメられており、これにより管体３は、開口部６付近において、内側に折曲した折曲部１１を有した構成となっている。すなわち、管体３は、開口部６近傍において、ピン４の軸線方向先端側に向かってその外径を細めるように構成されている。
また、管体３の外壁もめっき処理されており、壁部７の外側を所定の基板等と半田付けできるように構成されている。
【０００５】
円柱状のピン４は、導電性の金属等からなり、径の細い柱状部８と、径の太い柱状部９とからなっており、柱状部８の先端は、電子機器等との電気的導通をとるための接触端部１０とされている。
また、ピン４は、管体３の開口部６を通して管体３の中空部２内に挿入されており、先端に形成された接触端部１０が外方に突出するように配置されている。
【０００６】
なお、ピン４は、軸線方向への摺動自在に構成されているが、管体３がその開口部６においてカシメられているため、径の太い柱状部９がカシメられて形成された折曲部１１によって移動が規制されている。すなわち、ピン４は、開口部６から外方へ抜け出すことを防止された状態で、管体３の中空部２内に挿入されている。
また、径の太い柱状部９の径は、管体３の中空部２の内径と略等しい大きさで形成されており、径の太い柱状部９と、管体３の内壁とが接触し易いように構成されている。なお、径の太い柱状部９の後端面９ａは、傾斜した面となっている。
【０００７】
スプリング５は、管体３の中空部２内で、壁部７とピン４の後端面９ａとの間に配置されており、ピン４を中空部２内から外方へ突出する向きに付勢を与えるように構成されている。
【０００８】
以上の構成をしたピンコネクタ１は、導電性のピン４の径の太い柱状部９と、めっきされた管体３の内壁とが接触することで、ピン４と管体３との電気的導通が取られている。その結果、基板等に設けられた所定の接触部材に、ピン４の接触端部１０を接触させると、接触部材と管体３の壁部７の外側に設けられた所定の基板等とが電気的に導通し、各種信号を入出力することが可能となる。
【０００９】
また、ピン４を管体３の中空部２内に摺動自在に配置し、かつ、ピン４を管体３の外方へ突出する向きに付勢するスプリング５を用いることで、接触端部１０と接触部材との間の距離にかかわらず、スプリング５が自在に伸縮することで、良好な接続状態が得られる。
【００１０】
更に、スプリング５と接触する径の太い柱状部９の後端面９ａが、傾斜した面となっていることから、柱状部９が管体３の軸線方向とは少しずれて摺動するので、管体３の内壁と良好に接触することができる。
【００１１】
ところで、上記従来のピンコネクタ１には、管体３の開口部６からほこり等の異物等が管体３内に浸入するという問題があった。この結果、ピン４の径の太い柱状部９と管体３の内壁との間に異物が混入し、接触不良が生じて電気的導通が得られなくなるという不都合があった。
特に、微小な異物の浸入が原因となって接触不良が生じた場合、原因究明が難航するので、異物の浸入による不都合は大きかった。
【００１２】
このような不都合を解消する方法として、ピン４の径の細い柱状部８にリングを設ける方法が知られている（特許文献１）。
この方法によれば、開口部から管体内に浸入しようとする異物を、リングによって防ぐことができ、ピンコネクタ内での接触不具合を低減することができる。
【特許文献１】実開昭５８−９１１７０号公報
【発明の開示】
【発明が解決しようとする課題】
【００１３】
しかしながら、特許文献１に記載された方法では、異物の浸入を十分に防ぐことができないという問題があった。
すなわち、特許文献１に記載の方法では、リングをピンの径の細い柱状部に設けたことで、ピンの軸線方向先端側からの異物の浸入に対しては、ある程度防ぐことができるが、開口部付近での管体の側方からの異物の浸入に対しては、何ら防ぐことができない。
【００１４】
また、異物の浸入を十分に防ぐためには、開口部から近接した位置にリングを設ける必要があるが、これではピンの摺動自在な領域が狭くなるという問題がある。すなわち、リングは、開口部よりも大きい大きさで構成されていることから、リングが開口部に接触することでピンの軸線方向管体内側への摺動を規制してしまい、摺動自在な領域を狭くしてしまうことになる。この結果、接触部材とピンの接触端部との距離によっては、接触できないという問題がある。
仮に、ピンの摺動自在な領域を十分に確保するため、開口部から遠いピンの接触端部付近にリングを設けると、今度は異物の浸入を十分に防ぐことができなくなるという問題があった。
【００１５】
このような背景の下、開口部から管体内への異物の浸入を十分に防ぐことができ、かつ、ピンの摺動自在な領域が十分に確保されたピンコネクタが要望されていたが、有効適切なものは提供されていないのが実情である。
【００１６】
本発明は、このような事情を考慮してなされたもので、その目的は、開口部から管体内への異物の浸入を十分に防ぐことができ、かつ、ピンの摺動自在な領域が十分に確保されたピンコネクタを提供することである。
【課題を解決するための手段】
【００１７】
上記の目的を達成するために、本発明は以下の手段を提供している。
本発明のピンコネクタは、一端が開口部とされ、他端が壁部により閉じられた管体と、  この管体に、先端を前記開口部から外方へ突出させた状態で、かつ、該開口部から外方へ抜け出すことを防止された状態で、該管体の軸線方向に摺動自在に配置された柱状のピンと、前記管体内に配置され、前記ピンを前記開口部側へ付勢する付勢部材とを備え、前記ピンの先端部を所定の接触部材と接触させて電気的導通を取る接触端部としたピンコネクタにおいて、前記ピンの前記開口部から外方へ突出する部分に傘状の張り出し部が設けられていることを特徴とする。
【００１８】
本発明のピンコネクタにおいては、前記張り出し部の先端縁の径が、前記管体の外径よりも大きいことが好ましい。
【００１９】
また、本発明のピンコネクタにおいては、前記張り出し部は、前記ピンの先端側から径が広がるに従い、前記ピンの軸線方向管体側に向かって傾斜するように形成されていることが好ましい。
【００２０】
また、本発明のピンコネクタにおいては、前記管体は、前記開口部近傍において、前記ピンの軸線方向先端側に向かってその外径を細めていることが好ましい。
【００２１】
また、本発明のピンコネクタにおいては、前記付勢部材は、前記ピンの後端面に接触して該ピンを前記開口部側へ付勢するよう配置され、前記付勢部材と接触する前記ピンの後端面が傾斜した面とされていることが好ましい。
【発明の効果】
【００２２】
上記構成を採用した結果、ピンの先端側に傘状の張り出し部を設けたため、ピンの軸線方向先端側からだけでなく、開口部付近の管体の側方側からの異物の侵入をも防ぐことができる。これにより、ピンコネクタ内部での接触不具合を低減することができる。
また、ピンの先端側に張り出し部を設けたことで、ピンの摺動自在な領域を十分に確保することができ、かつ、開口部と張り出し部の先端縁との間の距離が狭いので、異物の浸入を十分に防ぐことができる。
【００２３】
また、張り出し部の先端縁の径を、管体の外径よりも大きくしたことにより、より異物の浸入を防ぐことができる。
【００２４】
また、張り出し部が、ピンの先端側から径が広がるに従い、ピンの軸線方向管体側に向かって傾斜するように形成されたことにより、より管体の側方からの異物の浸入を防ぐことができる。
【００２５】
また、管体が、開口部近傍において、ピンの軸線方向先端側に向かってその外径を細めていることにより、より開口部への異物の浸入を防ぐことができる。
【００２６】
また、付勢部材と接触するピンの後端面を傾斜した面としたことで、より良好にピンと管体の内壁を接触させて電気的導通を取ることができる。
【発明を実施するための最良の形態】
【００２７】
以下、本発明の実施形態であるピンコネクタについて、図面を参照して説明する。図１は、本発明の実施形態であるピンコネクタの概略構成を示した断面図である。
【００２８】
本実施形態のピンコネクタ１Ａは、図１に示すように、中空部２を有する管体３と、管体３に挿入された円柱状のピン１２と、管体３の中空部２内に配置された付勢部材であるスプリング５とから概略構成されている。
【００２９】
管体３は、導電性の金属等からなり、一端が開口した開口部６となっており、他端が壁部７により閉じた構成となっている。また、管体３の内壁はめっき処理されており、ピン１２と接触した際に良好に電気的導通が取れるように構成されている。
開口部６は、後述するようにピン１２を抜け止め状態で保持するためカシメられており、これにより管体３は、開口部６付近において内側に折曲した折曲部１１を有した構成となっている。すなわち、管体３は、開口部６近傍においてピン１２の軸線方向先端側に向かってその外径を細めるように構成されている。
また、管体３の外壁もめっき処理されており、壁部７の外側を所定の基板等と半田付けできるように構成されている。
【００３０】
円柱状のピン１２は、導電性の金属等からなり、径の細い柱状部８と、径の太い柱状部９とから概略構成されている。また、柱状部８の先端側には傘状の張り出し部１３が設けられており、張り出し部１３の先端は、電子機器等との電気的導通を取るための接触端部１０とされている。
また、ピン１２は、管体３の開口部６を通して管体３の中空部２内に挿入されており、張り出し部１３及び先端に形成された接触端部１０が管体３の外方に突出するように配置されている。
【００３１】
なお、ピン１２は、軸線方向への摺動自在に構成されているが、管体３がその開口部６においてカシメられているため、径の太い柱状部９がカシメられて形成された折曲部１１によって移動が規制されている。すなわち、ピン１２は、開口部６から外部へ抜け出すことを防止された状態で管体３の中空部２内に挿入されている。
また、径の太い柱状部９の径は、管体３の中空部２の内径と略等しい大きさで形成されており、径の太い柱状部９と、管体３の内壁とが接触し易いように構成されている。なお、径の太い柱状部９の後端面９ａは、傾斜した面となっている。
【００３２】
張り出し部１３は、柱状部８の先端側に設けられており、柱状部８の先端側から径が広がるに従い、ピン１２の軸線方向後端側（管体３側）に向かって傾斜するように形成されている。
【００３３】
この場合、張り出し部１３の下面１３ａは、柱状部８から離間するに従い、ピン１２の軸線方向後端側へ傾斜しており、その付け根１４より先端縁１５が下方に位置している。
この張り出し部１３の下面１３ａの形状は、管体３の開口部６付近に形成された折曲部１１の外面形状に対応しており、ピン１２が下方に移動した際、折曲部１１が張り出し部１３の下面１３ａに相対的にしっくりと嵌り込む形状とされている。
【００３４】
また、この構成において、張り出し部１３の先端縁１５の径は、管体３の外径より大となるように形成されている。
【００３５】
なお、柱状部８の先端部、すなわち張り出し部１３の先端部でもある部分は、前述したように接触端部１０とされている。
【００３６】
付勢部材であるスプリング５は、管体３の中空部２内で、壁部７とピン１２の後端面９ａとの間に設置されており、ピン１２を中空部２内から外方へ突出する向きに付勢を与えるように構成されている。
【００３７】
以上の構成をしたピンコネクタ１Ａは、導電性のピン４の径の太い柱状部９と、めっきされた管体３の内壁とが接触することで、ピン４と管体３との電気的導通が取られている。その結果、基板等に設けられた所定の接触部材に、ピンの接触端部１０を接触させると、接触部材と管体３の壁部７の外側に設けられた所定の基板等とが電気的に導通し、各種信号を入出力することが可能となる。
【００３８】
また、ピン１２を管体３の中空部２内に摺動自在に配置し、かつ、ピン１２を管体３の外方へ突出する向きに付勢するスプリング５を用いることで、接触端部１０と接触部材との間の距離にかかわらず、スプリング５が自在に伸縮することで、良好な接続状態が得られる。
【００３９】
また、スプリング５と接触する径の太い柱状部９の後端面９ａが、傾斜した面となっていることから、柱状部９が管体３の軸線方向とは少しずれて摺動するので、管体３の内壁と良好に接触することができる。
【００４０】
更に、本実施形態のピンコネクタ１Ａは、傘状の張り出し部１３が設けられたため、開口部６付近における、管体３の軸線方向側のみならず側方側からの異物の浸入をも防ぐことができる。
加えて、張り出し部１３が、ピン１２の先端側から径が広がるに従い、ピン１２の軸線方向管体３側に向かって傾斜するように形成されたことにより、より管体の側方からの異物の浸入を防ぐことができる。
すなわち、張り出し部１３が、管体３の開口部６側方付近を覆うことから、側方側からの異物を開口部６に近づけないことができる。
これにより、ピンコネクタ１Ａ内での接触不具合を低減することができる。
【００４１】
また、張り出し部１３の先端縁１５の径を、管体３の外径よりも大きく構成したことにより、開口部６から管体３内への異物の浸入をより効果的に防ぐことができる。
【００４２】
また、管体３が、開口部６近傍において、ピン１２の軸線方向先端側に向かってその外径を細めているので、異物が開口部６から浸入しにくくなっている。
【００４３】
また、張り出し部１３が、ピン１２の軸線方向への摺動を制御するので、ピン１２が管体３の中空部２内に埋没してしまうのを防ぐことができる。
【００４４】
また、ピン４の軸線方向への摺動を制御する張り出し部１３の下面１３ａの付け根１４が、径の細い柱状部８の先端側に設けられたことにより、ピン１２の軸線方向への摺動自在な領域を十分に確保することができる。
特に、張り出し部１３の下面１３ａの形状を、開口部６付近の管体３の折曲部１１の外面形状と対応させたことにより、ピン１２の軸線方向中空部２内側への摺動を規制する張り出し部１３の部位が、付け根１４となる。これにより、張り出し部１３の他の部分が、開口部６付近と接触することを抑え、ピン１２の摺動領域を十分に確保することができ、かつ、張り出し部１３の先端縁１５が、より開口部６に近づくことができるようになり、開口部６を十分に覆うことができる。
【００４５】
すなわち、張り出し部１３の下面１３ａの形状を閉じ過ぎると、先端縁１５が折曲部１１と接触することでピン１２の摺動が規制されるという不都合が生じ、逆に開き過ぎると、先端縁１５と開口部６との距離が大きくなるという不都合が生じる。
したがって、張り出し部１３の下面１３ａの形状を折曲部１１の外面形状と対応させることで、摺動領域を広くし、かつ、異物の浸入を効果的に防ぐことができる。
【００４６】
以上、本発明を実施形態に基づき説明したが、本発明は、上記実施形態に限定されるものではなく、その要旨を逸脱しない範囲で種々変更可能であることは言うまでもない。
例えば、本実施形態では、円柱状のピン１２を用いて説明したが、角柱状のピンを用いても構わず、その際は、その形状に対応した中空部２を有する管体３を用いるのが好ましい。
【産業上の利用可能性】
【００４７】
本発明は、電子機器等に設けられた接触部材に、ピンを接続させて各種信号を入出力するピンコネクタに関するものであるから、電子機器を製造する電子機器製造業において幅広く利用することができる。
【図面の簡単な説明】
【００４８】
【図１】図１は、本発明の実施形態であるピンコネクタの概略構成を示した断面図である。
【図２】図２は、従来技術のピンコネクタの概略構成を示した断面図である。
【符号の説明】
【００４９】
１，１Ａ・・・ピンコネクタ、３・・・管体、４，１２・・・ピン、６・・・開口部、７・・・壁部、９ａ・・・後端面、１０・・・接触端部、１３・・・張り出し部
【図１】
2010097772.tif 000003
【図２】
2010097772.tif 000004